(57)【特許請求の範囲】
【請求項１】
上枠、下枠および左右の縦枠を備えて構成されて建物の建具枠取付面に取り付けられる外付け用建具枠であって、
前記上枠は、上枠本体と、合成樹脂製のカバー部材と、金属製の上枠補強材とを備え、
前記上枠本体は、金属製の室内部材および室外部材と、前記室内部材および室外部材を連結する合成樹脂製の断熱部材とを備えて構成され、
前記室外部材は、前記建具枠取付面にネジ止めされる取付片部を有し、
前記室内部材は、前記カバー部材がネジ止めされる固定片部を有し、
前記カバー部材は、前記室内部材の固定片部に沿って配置される被覆部と、前記被覆部から延出する延出部とを備え、
前記上枠補強材は、前記カバー部材の延出部と共に前記建具枠取付面にネジ止めされる取付部と、前記室内部材の固定片部に前記カバー部材の被覆部を介してネジ止めされる固定部とを備える
ことを特徴とする外付け用建具枠。
【請求項２】
請求項１に記載の外付け用建具枠において、
前記上枠は、外障子を案内する外レールと、内障子を案内する内レールとを備え、
前記上枠補強材は、前記外障子および内障子の召合せ部に対応する位置に配置されている
ことを特徴とする外付け用建具枠。
【請求項３】
上枠本体およびカバー部材を備える上枠と、下枠および左右の縦枠とを備えて構成されて建物の建具枠取付面に取り付けられた外付け用建具枠の改修方法であって、
前記上枠本体は、
前記建具枠取付面にネジ止めされる取付片部を有する金属製の室外部材と、
前記カバー部材がネジ止めされる固定片部を有する金属製の室内部材と、
前記室内部材および室外部材を連結する合成樹脂製の断熱部材とを備えて構成され、
前記カバー部材は、前記室内部材の固定片部に沿って配置される被覆部と、前記被覆部から延出されて前記建具枠取付面にネジ止めされた延出部とを備えた合成樹脂部材で構成され、
前記カバー部材の延出部を前記建具枠取付面に取り付けている少なくとも１本のネジを外し、
取付部および固定部を備える金属製の上枠補強材を用意し、前記固定部を前記カバー部材の被覆部を介して前記室内部材の固定片部にネジ止めし、前記取付部を前記カバー部材の延出部と共に前記建具枠取付面にネジ止めする
ことを特徴とする外付け用建具枠の改修方法。
【発明の詳細な説明】
【技術分野】
【０００１】
本発明は、建物の躯体の屋外面に取り付けられる外付け用建具枠および外付け用建具枠の改修方法に関する。
【背景技術】
【０００２】
建物の躯体屋外面に取り付けられる外付け用の建具枠において、上枠の屋内露出面に合成樹脂製のカバー部材を取り付けて、断熱性能を向上させた外付け用の建具枠が知られている（例えば特許文献１の図１参照）。
このようなカバー部材１２を取り付けた上枠１０Ａの例を図６に示す。上枠１０Ａは、上枠１０Ａに形成した内レール１１４、外レール１１６で内障子６および外障子７を案内する引違い窓の建具枠である。そして、上枠１０Ａは、アルミ押出形材からなる室内部材１１１および室外部材１１２をウレタン樹脂等の断熱部材１１３で連結して上枠本体１１を形成し、さらに、室内部材１１１の下面に樹脂製のカバー部材１２をネジ１５で取り付けて構成されている。
この上枠１０Ａは、前記室外部材１１２の屋内側端部から上方に延出した取付片部１１７を建物の躯体３にネジ１４で固定し、さらに、前記樹脂製のカバー部材１２を開口縁部材４にネジ１６で固定することで、上枠１０Ａを建物の建具枠取付面、つまり躯体３および開口縁部材４の屋外面に取り付けていた。
【先行技術文献】
【特許文献】
【０００３】
【特許文献１】特開２００１−２０６１６号公報
【発明の概要】
【発明が解決しようとする課題】
【０００４】
前記上枠１０Ａは、防火仕様ではないため、火災時に合成樹脂製の断熱部材１１３およびカバー部材１２が軟化する。すると、図７に示すように、室内部材１１１は、断熱部材１１３が軟化することで、室外部材１１２と非連結状態となり、カバー部材１２が軟化することで、開口縁部材４つまり建物の建具枠取付面とも非連結状態となる。
このため、室内部材１１１は、左右の縦枠からビスホール１７にねじ込まれるネジで縦枠のみに連結された状態となり、室内部材１１１がビスホール１７にねじ込まれるネジを軸に回転しやすくなる。このため、室内部材１１１の固定が不安定となり、内障子６が内レール１１４で支持されず、内障子６と上枠１０Ａとの間等に屋内外を連通する連通路が形成されやすくなる。そして、この連通路から火災時の炎が屋内空間に進入する恐れがあり、防火性能が低下するという課題がある。
【０００５】
本発明の目的は、防火性能の低下を抑制できる外付け用建具枠および外付け用建具枠の改修方法を提供することにある。
【課題を解決するための手段】
【０００６】
本発明の外付け用建具枠は、上枠、下枠および左右の縦枠を備えて構成されて建物の建具枠取付面に取り付けられる外付け用建具枠であって、前記上枠は、上枠本体と、合成樹脂製のカバー部材と、金属製の上枠補強材とを備え、前記上枠本体は、金属製の室内部材および室外部材と、前記室内部材および室外部材を連結する合成樹脂製の断熱部材とを備えて構成され、前記室外部材は、前記建具枠取付面にネジ止めされる取付片部を有し、前記室内部材は、前記カバー部材がネジ止めされる固定片部を有し、前記カバー部材は、前記室内部材の固定片部に沿って配置される被覆部と、前記被覆部から延出する延出部とを備え、前記上枠補強材は、前記カバー部材の延出部と共に前記建具枠取付面にネジ止めされる取付部と、前記室内部材の固定片部に前記カバー部材の被覆部を介してネジ止めされる固定部とを備えることを特徴とする。
【０００７】
本発明によれば、合成樹脂製のカバー部材は、金属製の上枠補強材と共に建物の建具枠取付面にネジで取り付けられる。さらに、前記上枠補強材は、合成樹脂製のカバー部材の被覆部を介して、室内部材の固定片部にネジで取り付けられる。このため、火災時に上枠本体の室内外部材を連結する断熱部材が軟化し、カバー部材が軟化しても、金属製の上枠補強材が室内部材および建物の建具枠取付面にそれぞれネジ止めされているので、上枠本体の室内部材は、少なくともビスホールなどの縦枠連結孔の部分を介して縦枠にネジ止めされ、さらに、上枠補強材で建物の建具枠取付面にネジ止めされることになる。したがって、上枠本体の室内部材が回転して転ぶことを防止でき、上枠と障子との間に連通路が形成されて防火性能が低下することも防止できる。
また、上枠本体を、金属製の室内部材および室外部材を断熱部材で連結した断熱形材で構成したので、室外部材が外気で冷却されても、室内部材は室外部材と断熱されているので、冷却されにくく、このような冷却されにくい室内部材の固定片部にカバー部材を固定しており、金属製の上枠補強材は、カバー部材の被覆部を介して上枠本体の固定片部にネジ止めされるため、室内部材に直接接触せず、上枠本体から上枠補強材への熱の伝達を抑制でき、屋内空間の空気に触れても結露の発生を抑制でき、防露性に優れた上枠とすることができる。
【０００８】
本発明の外付け用建具枠において、前記上枠は、外障子を案内する外レールと、内障子を案内する内レールとを備え、前記上枠補強材は、前記外障子および内障子の召合せ部に対応する位置に配置されていることが好ましい。
【０００９】
本発明によれば、外付け用建具枠に沿って内外の各障子がスライド移動可能な引違い窓や引違いテラス戸等を構成できる。ここで、外付け用建具枠に対し障子が閉じられている場合は、戸先框は上下枠だけでなく縦枠にも係合して支持されるが、召合せ框は上下枠のみで支持される。このため、火災時に建物の建具枠取付面と非連結状態になり、上枠本体の室内部材が回転し、内レールの位置が安定していないと、内障子の召合せ框が見込み方向に動きやすくなってしまい、煙返しで係合されている外障子の召合せ框も動きやすくなる。
これに対し、本発明によれば、召合せ部に対応する位置に上枠補強材を配置しているので、上枠本体の室内部材において、召合せ框に対応する部分の強度を向上できる。このため、内障子の召合せ框が見込み方向に動くことをより確実に防止でき、外障子の召合せ框が動くことも防止できる。
【００１０】
本発明は、上枠本体およびカバー部材を備える上枠と、下枠および左右の縦枠とを備えて構成されて建物の建具枠取付面に取り付けられた外付け用建具枠の改修方法であって、前記上枠本体は、前記建具枠取付面にネジ止めされる取付片部を有する金属製の室外部材と、前記カバー部材がネジ止めされる固定片部を有する金属製の室内部材と、前記室内部材および室外部材を連結する合成樹脂製の断熱部材とを備えて構成され、前記カバー部材は、前記室内部材の固定片部に沿って配置される被覆部と、前記被覆部から延出されて前記建具枠取付面にネジ止めされた延出部とを備えた合成樹脂部材で構成され、前記カバー部材の延出部を前記建具枠取付面に取り付けている少なくとも１本のネジを外し、取付部および固定部を備える金属製の上枠補強材を用意し、前記固定部を前記カバー部材の被覆部を介して前記室内部材の固定片部にネジ止めし、前記取付部を前記カバー部材の延出部と共に前記建具枠取付面にネジ止めすることを特徴とする。
【００１１】
本発明によれば、既設の建具枠において、上枠本体およびカバー部材で構成されて防火仕様とされていない上枠に、上枠補強材を追加することで防火仕様の上枠に改修できる。この際、カバー部材を取り付けている少なくとも１本のネジを外し、上枠補強材をネジで上枠本体および建具枠取付面に取り付けるだけでよいので、改修作業を容易にかつ低コストで行うことができる。
【発明の効果】
【００１２】
本発明によれば、火災時に室内外部材を連結する断熱部材や、合成樹脂製のカバー部材が焼失しても、防火性能の低下を抑制できる。
【図面の簡単な説明】
【００１３】
【図１】本発明の実施形態に係る建具枠を用いた外付け用引違い窓を示す縦断面図。
【図２】前記外付け用引違い窓を示す横断面図。
【図３】前記外付け用引違い窓の上枠を示す縦断面図。
【図４】前記上枠に用いる上枠補強材を示す斜視図。
【図５】前記上枠において断熱部材およびカバー部材が無くなった状態を示す縦断面図。
【図６】従来の外付け用引違い窓の上枠を示す縦断面図。
【図７】従来の外付け用引違い窓の上枠において断熱部材およびカバー部材が無くなった状態を示す縦断面図。
【発明を実施するための形態】
【００１４】
以下、本発明の一実施形態を図面に基づいて説明する。
図１は、本実施形態に係る建具枠を用いた引違い窓１を示す縦断面図、図２は、その横断面図である。
引違い窓１は、建物の開口部２に取り付けられた建具枠としての窓枠５と、窓枠５内に配置された一対の障子６，７とを備えている。この引違い窓１は、建物の建具枠取付面に窓枠５が取り付けられた外付けタイプであり、窓枠５は外付け用建具枠である。なお、本実施形態では、建具枠取付面は、建物の躯体３や開口縁部材４の屋外側面で構成される。躯体３や開口縁部材４の屋外側面は同一平面上にあり、窓枠５はこの同一平面上の建具枠取付面に取り付けられている。また、本実施形態の開口縁部材４は、障子６、７の内側に配置されて視線や日差しを調整する障子を案内する鴨居や敷居等の障子枠を兼ねている。
【００１５】
窓枠５は、上枠１０、下枠２０、および左右の縦枠３０（図２）を四周枠組みした構成である。
上枠１０は、図３にも示すように、上枠本体１１と、カバー部材１２と、上枠補強材１３とを備える。上枠本体１１は、アルミ製の押出形材からなる室内部材１１１と、室外部材１１２と、室内部材１１１および室外部材１１２を連結するウレタン樹脂等の断熱部材１１３とで構成されている。
室内部材１１１は、断熱部材１１３の屋内側から下方に延出された内レール１１４と、内レール１１４の上端から屋内側に向かって延出された固定片部１１５とを備えている。
室外部材１１２は、室外部材１１２の下面から下方に延出された外レール１１６と、室外部材１１２の上面の屋内側端部から上方に延出した取付片部１１７とを備えている。取付片部１１７は、躯体３の屋外面に沿って配置され、ネジ１４で躯体３（建具枠取付面）に固定されている。
【００１６】
カバー部材１２は、合成樹脂製の押出成形品であり、上枠本体１１の固定片部１１５に沿って配置される被覆部１２１と、被覆部１２１の屋内側端部から下方に延出する延出部１２２と、被覆部１２１の屋外側端部から下方に延出するレール被覆部１２３とを備える。したがって、カバー部材１２は、断面略コ字状に形成されている。また、延出部１２２の下部は屋内側に向かって斜め下方に傾斜している。
カバー部材１２には、室内部材１１１に形成された突起に係合する係合爪１２４，１２５が形成されている。したがって、カバー部材１２は、係合爪１２４，１２５を室内部材１１１の突起に係合することで、室内部材１１１に取り付けられる。さらに、カバー部材１２のレール被覆部１２３は、内レール１１４の先端に係合し、内レール１１４の屋内面を被覆している。
【００１７】
上枠補強材１３は、図４にも示すように、金属製の板材を折り曲げ加工して形成され、上枠本体１１やカバー部材１２に比べて短尺のピース材とされている。なお、本実施形態の上枠補強材１３の長手方向の寸法（引違い窓１の幅方向の寸法）は、障子６，７の召合せ部の幅寸法に合わせて設定されている。例えば、引違い窓１の召合せ框の幅寸法が５０〜７０ｍｍ程度である場合、上枠補強材１３の前記寸法は７０〜９０ｍｍ程度に設定される。
上枠補強材１３は、カバー部材１２の被覆部１２１の下面に沿って配置される固定部１３１と、延出部１２２の屋外面に沿って配置される取付部１３２とを備えている。したがって、取付部１３２の下部も延出部１２２に沿って屋内側に向かって傾斜している。
上枠補強材１３の固定部１３１には、長手方向の両端部の２カ所に穴１３３が形成されている。また、取付部１３２にも、長手方向の両端部の２カ所に穴１３４が形成されている。
【００１８】
上枠補強材１３は、固定部１３１の穴１３３を挿通するネジ１５で上枠本体１１の室内部材１１１に固定されている。すなわち、ネジ１５は、上枠補強材１３の固定部１３１からカバー部材１２の被覆部１２１を介して、上枠本体１１の固定片部１１５にねじ込まれて固定されている。
さらに、上枠補強材１３およびカバー部材１２は、ネジ１６で開口縁部材４（建具枠取付面）に固定されている。すなわち、ネジ１６は、上枠補強材１３の取付部１３２の穴１３４から、カバー部材１２の延出部１２２を介して、開口縁部材４にねじ込まれて固定されている。
なお、上枠補強材１３は、上枠本体１１およびカバー部材１２の長手方向の中央部分つまり各障子６，７の召合せ部に配置されている。
したがって、障子６，７の召合せ部以外の部分では、上枠補強材１３を設けずに、ネジ１６を直接カバー部材１２から開口縁部材４にねじ込んで固定している。
したがって、上枠１０を構成する上枠本体１１の取付片部１１７と、カバー部材１２の延出部１２２と、上枠補強材１３の取付部１３２とが、躯体３や開口縁部材４の屋外側面つまり建具枠取付面上から躯体３や開口縁部材４に対して支持固定されている。
【００１９】
下枠２０は、図１に示すように、下枠本体２１と、カバー部材２２とを備える。下枠本体２１は、上枠本体１１と同様に、アルミ製の押出形材からなる室内部材２１１と、室外部材２１２と、室内部材２１１および室外部材２１２を連結するウレタン樹脂等の断熱部材２１３とで構成されている。
室内部材２１１は断熱部材２１３の屋内側から上方に延出された内レール２１４と、室内部材２１１の屋内側端部から躯体３および開口縁部材４の屋外面（建具枠取付面）に沿って上方に延長され、さらに開口縁部材４の上面に沿って屋内側に延長された固定片部２１５とを備えている。固定片部２１５は、カバー部材２２と共にネジ２４で開口縁部材４に固定されている。
室外部材２１２は、室外部材２１２の上面から上方に延出された外レール２１６と、室外部材２１２の下面の屋内側端部から下方に延出した取付片部２１７とを備えている。取付片部２１７は、躯体３の屋外面（建具枠取付面）に沿って配置され、ネジ２５で躯体３に固定されている。
【００２０】
カバー部材２２は、合成樹脂製の押出成形品であり、下枠本体２１の室内部材２１１に係合されて室内部材２１１の上面を被覆している。カバー部材２２は、開口縁部材４上に配置される固定片部２１５の表面を被覆している部分で、前記固定片部２１５と共にネジ２４によって開口縁部材４に固定されている。
【００２１】
縦枠３０は、図２に示すように、縦枠本体３１と、カバー部材３２Ａ，３２Ｂとを備える。縦枠本体３１は、長手方向に連続した中空部３１１を有するアルミ製の押出形材で全体が形成され、中空部３１１の閉断面構造によって剛性の向上が図られている。
縦枠本体３１は、縦枠本体３１の屋内側端部から躯体３の屋外面（建具枠取付面）に沿って外側に延出された取付片部３１２を備え、取付片部３１２はネジ３４で躯体３に固定されている。
【００２２】
カバー部材３２Ａ，３２Ｂは、合成樹脂製の押出成形品であり、躯体３にネジ３５で固定される取付部３２２を備えている。カバー部材３２Ａは、内障子６の戸先框が当接する側（図２の右側）の縦枠本体３１の屋内側に露出する面を被覆している。カバー部材３２Ｂは、外障子７の戸先框が当接する側（図２の左側）の縦枠本体３１の屋内側に露出する面を被覆している。
【００２３】
内障子６および外障子７は、図１，２に示すように、上框、下框、戸先框、召合せ框を枠組みし、単板ガラスや複層ガラスなどの面材を保持した引違い窓用の障子である。内障子６は、上枠１０の内レール１１４および下枠２０の内レール２１４で案内され、外障子７は、上枠１０の外レール１１６および下枠２０の外レール２１６で案内される。これらの障子６，７は、従来から用いられている障子と同様な構造であるため、説明を省略する。
【００２４】
このような本実施形態の引違い窓１において、火災によって断熱部材１１３やカバー部材１２が軟化した場合について、断熱部材１１３やカバー部材１２が焼失した場合の図５を参照して説明する。
断熱部材１１３やカバー部材１２が溶融した場合でも、金属製の上枠補強材１３はネジ１５で上枠本体１１の室内部材１１１に固定され、ネジ１６で開口縁部材４に固定されている。したがって、室内部材１１１は、断熱部材１１３が溶融して室外部材１１２と非連結状態となっても、縦枠３０の縦枠連結孔からビスホール１７にねじ込まれる図示略のネジと、ネジ１５および上枠補強材１３を介して開口縁部材４にねじ込まれるネジ１６とで固定支持されている。このため、室内部材１１１が回転（転ぶ）ことを防止でき、障子６，７と上枠１０間に隙間（連通路）が生じることも抑制でき、障子６，７の屋内側に炎が進入することを防止できる。
また、上枠１０の室外部材１１２は、ネジ１４で躯体３に固定され、さらに、外レール１１６の上方と、断熱部材１１３との連結部の近傍とに形成された２箇所のビスホールにねじ込まれるネジで縦枠と連結されているので、断熱部材１１３が軟化し、最悪焼失しても躯体３に固定された状態を維持でき、回転することはない。
さらに、縦枠３０は、上枠１０および下枠２０にネジ止めされており、かつ、中空部３１１で剛性が向上されているので、カバー部材３２Ａ，３２Ｂが焼失しても縦枠３０が左右に転ぶことはない。
【００２５】
次に、防火用ではない通常の引違い窓を防火用の引違い窓１に改修する改修方法について説明する。
防火用ではない通常の引違い窓では、図６に示すように、上枠１０Ａの室内部材１１１は、カバー部材１２のみで開口縁部材４にネジ止めされている。このような引違い窓を防火用に改修する場合、カバー部材１２の室内部材１１１に連結されているネジ１５とカバー部材１２を開口縁部材４に固定しているネジ１６のうち、カバー部材１２の長手方向（引違い窓１の左右の幅方向）の中心部分、つまり障子６，７の召合せ部に対応する部分のネジ１５およびネジ１６を取り外す。
次に、予め用意した上枠補強材１３をカバー部材１２における前記召合せ部に対応する位置に配置し、ネジ１５，１６によって上枠本体１１および開口縁部材４に固定する。これにより、本実施形態と同じ上枠１０、下枠２０の構成にでき、改修後の引違い窓１の防火性能を向上できる。
なお、必要に応じて、火炎を遮断する加熱発泡材を貼り付けて耐火性能を向上させてもよい。
【００２６】
なお、下枠２０に下枠補強材を設けてもよい。下枠補強材は、例えば金属製のアングル材で構成される。そして、引違い窓１の施工時や改修時に、下枠本体２１の室外部材２１２の下面および外壁材の屋外面に沿って配置され、外壁材から躯体３までねじ込まれるネジで躯体３に固定される。このような下枠補強材を設ければ、火災時などに下枠２０を支持して、下枠２０が下方に垂れ下がることをより確実に防止できる。
なお、下枠補強材は、上枠補強材１３と同様に、下枠本体２１に比べて短尺のピース材で形成し、下枠本体２１の幅方向中間部、つまり召合せ部に対応する位置のみに配置してもよいし、複数の下枠補強材を所定間隔で配置してもよい。さらに、下枠補強材は、下枠本体２１と同程度の長尺部材として下枠本体２１の全長に渡って配置してもよい。
【００２７】
［本実施形態の効果］
（１）上枠１０のカバー部材１２を開口縁部材４に固定する際に、カバー部材１２と共に開口縁部材４にネジ止めされる上枠補強材１３を設け、この上枠補強材１３を上枠本体１１の金属製の室内部材１１１にネジ止めしたので、火災によってカバー部材１２が溶解しても上枠補強材１３によって室内部材１１１を開口縁部材４に拘束できる。したがって、室内部材１１１は、ビスホール１７にねじ込まれるネジとネジ１６との上下の２カ所で縦枠３０および開口縁部材４にネジ止めされて拘束されるので、室内部材１１１が回転して転ぶことを防止できる。このため、室内部材１１１つまり内レール１１４の固定も安定し、内障子６も確実に支持できる。このため、障子６，７と上枠１０間に隙間（連通路）が発生することを防止でき、隙間からの炎の進入や障子６，７が外れることも防止できる。よって、引違い窓１の防火性能を向上できる。
【００２８】
（２）上枠補強材１３は、引違い窓１の召合せ部に対応する位置に取り付けているので、上枠補強材１３をカバー部材１２の全長に渡って設ける場合に比べてコストを低減できる。また、上枠１０において最も強度が必要となる召合せ部に上枠補強材１３を取り付けているので、上枠１０の転びを効果的に防止できる。さらに、召合せ部の幅寸法に合わせて上枠補強材１３の長さ寸法を設定し、上枠補強材１３を２本のネジ１５で上枠本体１１に固定し、かつ、２本のネジ１６で開口縁部材４に固定しているので、上枠１０の室内部材１１１を回転させようとする力を効率よく受けることができ、室内部材１１１を確実に拘束できて室内部材１１１の転びを効果的に防止できる。したがって、内障子６や外障子７の召合せ框が見込み方向に移動することも防止できる。
【００２９】
（３）上枠本体１１は、金属製の室内部材１１１および室外部材１１２と、これらを連結する断熱部材１１３とからなるいわゆる断熱形材であり、室外部材１１２が冷気に触れて冷却されても、室内部材１１１は断熱部材１１３で室外部材１１２と断熱されているので冷却されにくくできる。そして、このような室内部材１１１にカバー部材１２を固定しているので、カバー部材１２の断熱性能をより向上させることができる。
さらに、上枠補強材１３は、上枠本体１１に対して直接接触しておらず、カバー部材１２を挟んで上枠本体１１にネジ止めされているので、室内部材１１１に比べても更に冷却されにくくできる。このため、上枠補強材１３が冷やされることを抑制でき、結露の発生も抑制できる。したがって、防露性に優れた上枠１０とすることができる。
【００３０】
（４）上枠本体１１およびカバー部材１２で構成される上枠に、上枠補強材１３を追加することで防火仕様の上枠１０に設定することができる。したがって、既設の引違い窓においても、一部のネジを外して上枠補強材１３を取り付けることで防火仕様の上枠１０に容易にかつ低コストで改修することができる。
【００３１】
（５）さらに、上枠補強材１３は、カバー部材１２に沿って配置され、屋外側に露出しないので、例えば、上枠本体１１の上面に上枠１０の転びを防止する補強材をネジ止めする場合に比べて、ネジが上枠１０の屋外面に露出しないので、防水性能を向上できる。
【００３２】
なお、本発明は、前記実施形態に限定されるものではない。
例えば、引違い窓１の縦枠３０に、上枠補強材１３と同様の補強材を取り付けてもよい。すなわち、各カバー部材３２Ａ、３２Ｂと共に躯体３にネジ止めされ、かつ、各カバー部材３２Ａ、３２Ｂを介して縦枠本体３１にネジ止めされる縦枠補強材を設ければ、各カバー部材３２Ａ、３２Ｂが焼失しても、縦枠３０を取付片部３１２および縦枠補強材の２カ所で拘束でき、縦枠３０の転びをより確実に防止できる。
【００３３】
また、上枠補強材１３は、上枠本体１１やカバー部材１２の幅方向中央部、つまり召合せ部の１カ所に配置されるものに限らない。すなわち、上枠補強材１３の数や配置箇所は、引違い窓１の幅寸法や、障子の枚数などに応じて設定すればよい。例えば、３枚建や４枚建の引違い窓においては、召合せ部が２カ所や３カ所になるため、各召合せ部の位置に応じて上枠補強材１３を配置すればよい。
【００３４】
前記実施形態では、引違い窓１の例が示されていたが、本発明に係る建具枠は、引違い窓の窓枠に限定されず、辷り出し窓、嵌め殺し窓、上げ下げ窓等、各種の外付けタイプの窓等に利用できる。そして、上枠補強材１３の数や配置箇所は、建具枠の幅寸法や窓種などに応じて設定すればよい。
【符号の説明】
【００３５】
１…引違い窓、３…躯体、４…開口縁部材、５…窓枠、６…内障子、７…外障子、１０…上枠、１１…上枠本体、１２…カバー部材、１３…上枠補強材、１４，１５，１６…ネジ、２０…下枠、３０…縦枠、１１１…室内部材、１１４…内レール、１１５…固定片部、１１２…室外部材、１１６…外レール、１１７…取付片部、１１３…断熱部材、１２１…被覆部、１２２…延出部、１２３…レール被覆部、１３１…固定部、１３２…取付部。
【図１】
0006296953.tif 000002
【図２】
0006296953.tif 000003
【図３】
0006296953.tif 000004
【図４】
0006296953.tif 000005
【図５】
0006296953.tif 000006
【図６】
0006296953.tif 000007
【図７】
0006296953.tif 000008